(57)【要約】【課題】  撮影後に、最小倍率画像データより像倍率が更に小さい画像データを生成することを可能とする技術を提供する。【解決手段】  ユーザは最小倍率画像データに相当する最大ユーザ設定画像ｉｍ＿ｍａｘｕｓ内でユーザ設定画像ｉｍ＿ｕｓの領域をズームボタン１５３により変更する。フレーミング枠調整可能画像撮影モードが選択されている場合、デジタルカメラ１００は、最大ユーザ設定画像ｉｍ＿ｍａｘｕｓと、斜線で示すフレーミング枠調整用画像ｉｍ＿ｆｒとを併せた拡張画像ｉｍ＿ｅｘを撮影する。ユーザは、編集モード時、拡張画像ｉｍ＿ｅｘ内でユーザ設定画像ｉｍ＿ｕｓの像倍率を変更する。【選択図】        図３
2006287365.tif 000002
【特許請求の範囲】
【請求項１】
デジタルカメラであって、
撮像素子を使用して画像データを取得する画像データ取得部と、
前記デジタルカメラのファインダとして機能する表示部と、
電子ズーム倍率を調整するための倍率調整部と、
複数の撮影モードの中から１つの撮影モードを指定するための撮影モード指定部と、
前記指定されたモードで撮影した画像の画像データを含む画像ファイルを作成してメモリに記録する画像ファイル作成部と、
を備え、
前記電子ズーム倍率は、ユーザによって撮像対象として設定可能な前記撮像素子上の最大の領域である最大ユーザ設定画像領域の寸法を、前記表示部の全体に表示される画像の領域であるユーザ設定画像領域の寸法で除した値であり、
前記複数の撮影モードは、前記最大ユーザ設定画像領域の外周にフレーミング枠調整用画像領域を設け、前記最大ユーザ設定画像領域と前記フレーミング枠調整用画像領域とを併せた拡張画像領域の画像を撮影するフレーミング枠調整可能画像撮影モードを含み、
前記画像ファイル作成部は、前記フレーミング枠調整可能画像撮影モードで撮影が行なわれるときに、前記電子ズーム倍率に基づいて可変に設定される前記ユーザ設定画像領域を示すフレーミング枠を表わすフレーミング情報を画像データとともに前記画像ファイル内に登録する、
デジタルカメラ。
【請求項２】
請求項１記載のデジタルカメラであって、
前記複数の撮影モードは、更に、前記最大ユーザ設定画像領域の画像を撮影する通常撮影モードを備え、
前記フレーミング枠調整用画像領域は、前記通常撮影モードにおいて前記最大ユーザ設定画像領域の外周に設定される付加的な画像領域よりも広い領域として設定される、
デジタルカメラ。
【請求項３】
請求項１または２記載のデジタルカメラであって、更に、
前記フレーミング情報に基づいて前記画像データに対してトリミングを実行することによって、前記ユーザ設定画像領域の画像を表わすフレーミング画像データを作成するトリミング実行部、
を備えたデジタルカメラ。
【請求項４】
請求項１ないし３のいずれかに記載のデジタルカメラであって、
前記表示部は、前記フレーミング枠調整可能画像撮影モードが選択されているときに、前記デジタルカメラの撮像素子が捉える前記拡張画像領域の画像から前記フレーミング枠調整用画像領域を除いた前記最大ユーザ設定画像領域と、前記倍率調整部で調整された電子ズーム倍率とに基づいて、前記ユーザ設定画像領域の画像を表示するフレーミング画像表示モードを有する、
デジタルカメラ。
【請求項５】
請求項４記載のデジタルカメラであって、
前記表示部は、前記フレーミング枠調整可能画像撮影モードで前記メモリに記録された画像ファイルを読み出して、前記拡張画像領域の画像を表示する拡張画像表示モードを有する、
デジタルカメラ。
【請求項６】
請求項５記載のデジタルカメラであって、更に、
前記拡張画像表示モードにおいて画像が前記表示部に表示されているときに、前記フレーミング枠を前記拡張画像領域内で調整するためのフレーミング枠調整部を備える、
デジタルカメラ。
【請求項７】
フレーミング枠調整方法であって、
撮像素子を使用して画像データを取得する工程と、
デジタルカメラのファインダに画像を表示する工程と、
電子ズーム倍率を調整する工程と、
複数の撮影モードの中から１つの撮影モードを指定する工程と、
前記指定されたモードで撮影した画像の画像データを含む画像ファイルを作成してメモリに記録する工程と、
を備え、
前記電子ズーム倍率は、ユーザによって撮像対象として設定可能な前記撮像素子上の最大の領域である最大ユーザ設定画像領域の寸法を、前記ファインダの全体に表示される画像の領域であるユーザ設定画像領域の寸法で除した値であり、
前記複数の撮影モードは、前記最大ユーザ設定画像領域の外周にフレーミング枠調整用画像領域を設け、前記最大ユーザ設定画像領域と前記フレーミング枠調整用画像領域とを併せた拡張画像領域の画像を撮影するフレーミング枠調整可能画像撮影モードを含み、
前記画像ファイルを作成してメモリに記録する工程においては、前記フレーミング枠調整可能画像撮影モードで撮影が行なわれるときに、前記電子ズーム倍率に基づいて可変に設定される前記ユーザ設定画像領域を示すフレーミング枠を表わすフレーミング情報を画像データとともに前記画像ファイル内に登録する、
フレーミング枠調整方法。
【発明の詳細な説明】
【技術分野】
【０００１】
本発明は、デジタルカメラに関する。
【背景技術】
【０００２】
デジタルカメラには、ズーム機能が備えられているものが多い。ズーム機能の１つである電子ズームでは、画像データを電子的に処理することにより被写体の像倍率をユーザが望む像倍率に変倍する。電子ズームによる変倍手段は種々提案されており、例えば、像倍率が最小倍率の場合の最小倍率画像データと、ユーザ指定の像倍率と、ユーザ指定の画像領域を撮影時に記憶し、撮影後に最小倍率画像データの一部であるユーザ指定の画像領域の画像をユーザ指定の像倍率に基づいて変倍し、変倍後の画像データを生成する手段が提案されている（特許文献１）。しかしながら、従来は、撮影後に最小倍率画像データより像倍率が更に小さい画像データを生成することはできなかった。仮に最小倍率画像データより像倍率が更に小さい画像データを生成すると、フレーム内の画像に空白が生じるという問題があった。
【０００３】
【特許文献１】特開２００２−１８２２９９号公報
【特許文献２】特開２００４−７２２０６号公報
【発明の開示】
【発明が解決しようとする課題】
【０００４】
本発明は、上記した問題点を解決するためになされたものであり、撮影後に、最小倍率画像データより像倍率が更に小さい画像データを生成することを可能とする技術を提供することを目的とする。
【課題を解決するための手段】
【０００５】
上記課題の少なくとも一部を解決するため、本発明によるデジタルカメラは、
撮像素子を使用して画像データを取得する画像データ取得部と、
前記デジタルカメラのファインダとして機能する表示部と、
電子ズーム倍率を調整するための倍率調整部と、
複数の撮影モードの中から１つの撮影モードを指定するための撮影モード指定部と、
前記指定されたモードで撮影した画像の画像データを含む画像ファイルを作成してメモリに記録する画像ファイル作成部と、
を備え、
前記電子ズーム倍率は、ユーザによって撮像対象として設定可能な最大の領域である前記撮像素子上の最大ユーザ設定画像領域の寸法を、前記表示部の全体に表示される画像の領域であるユーザ設定画像領域の寸法で除した値であり、
前記複数の撮影モードは、前記最大ユーザ設定画像領域の外周にフレーミング枠調整用画像領域を設け、前記最大ユーザ設定画像領域と前記フレーミング枠調整用画像領域とを併せた拡張画像領域の画像を撮影するフレーミング枠調整可能画像撮影モードを含み、
前記画像ファイル作成部は、前記フレーミング枠調整可能画像撮影モードで撮影が行なわれるときに、前記電子ズーム倍率に基づいて可変に設定される前記ユーザ設定画像領域を示すフレーミング枠を表わすフレーミング情報を画像データとともに前記画像ファイル内に登録することを特徴とする。
【０００６】
本発明によれば、フレーミング枠調整可能画像撮影モードにおいて、上記最小倍率画像データに相当する最大ユーザ設定画像領域の画像データより広範囲の拡張画像領域の画像データをメモリに記録するので、ユーザは、撮影後に、拡張画像領域内でフレーミング枠を調整し、最小倍率画像データより像倍率が更に小さい画像データを生成することが可能である。
【０００７】
前記複数の撮影モードは、更に、前記最大ユーザ設定画像領域の画像を撮影する通常撮影モードを備え、
前記フレーミング枠調整用画像領域は、前記通常撮影モードにおいて前記最大ユーザ設定画像領域の外周に設定される付加的な画像領域よりも広い領域として設定されるものとしても良い。
【０００８】
更に、前記フレーミング情報に基づいて前記画像データに対してトリミングを実行することによって、前記ユーザ設定画像領域の画像を表わすフレーミング画像データを作成するトリミング実行部を備えるものとしても良い。
【０００９】
これによれば、デジタルカメラでトリミングを実行し、フレーミング画像データを作成することができる。
【００１０】
前記表示部は、前記フレーミング枠調整可能画像撮影モードが選択されているときに、前記デジタルカメラの撮像素子が捉える前記拡張画像領域の画像から前記フレーミング枠調整用画像領域を除いた前記最大ユーザ設定画像領域と、前記倍率調整部で調整された電子ズーム倍率とに基づいて、前記ユーザ設定画像領域の画像を表示するフレーミング画像表示モードを有するものとしても良い。
【００１１】
これによれば、ユーザは、撮影前にユーザ設定画像領域の画像を確認することができる。
【００１２】
前記表示部は、前記フレーミング枠調整可能画像撮影モードで前記メモリに記録された画像ファイルを読み出して、前記拡張画像領域の画像を表示する拡張画像表示モードを有するものとしても良い。
【００１３】
これによれば、ユーザは、撮影後に拡張画像領域の画像を確認することができる。
【００１４】
更に、前記拡張画像表示モードにおいて画像が前記表示部に表示されているときに、前記フレーミング枠を前記拡張画像領域内で調整するためのフレーミング枠調整部を備えるものとしても良い。
【００１５】
これによれば、ユーザは、フレーミング枠を拡張画像領域内で調整することができる。
【００１６】
なお本発明は種々の形態で実現可能であり、例えば、フレーミング枠調整方法や、これらの方法または装置の機能の少なくとも一部を実現するためのコンピュータプログラム、そのプログラムを記録した記録媒体等の形態で実現可能である。
【発明を実施するための最良の形態】
【００１７】
図１（ａ）は、実施例としてのデジタルカメラ１００を含む画像処理システムを示す説明図である。デジタルカメラ１００は、電子ズームを実現可能であり、撮影部１１０と、記録部１２０と、記憶部１３０と、トリミング実行部１４０を備える。撮影部１１０は、画像を撮影し、画像データを取得する。記録部１２０は、記憶部１３０に画像データを記録する。記憶部１３０は、メモリーカードである。トリミング実行部１４０は、フレーミング情報に基づいてトリミングを実行する。フレーミング情報については後述する。撮影部１１０は、本発明の画像データ取得部に相当し、記録部１２０は、本発明の画像ファイル作成部に相当する。
【００１８】
図１（ｂ）は、デジタルカメラ１００の背面図である。デジタルカメラ１００は、操作ボタンとして、フレーミング枠調整可能画像撮影モードボタン１５１と、編集モードボタン１５２と、ズームボタン１５３と、移動ボタン１５４と、取消ボタン１５５を備える。デジタルカメラ１００は、表示部１５０も備える。フレーミング枠調整可能画像撮影モードボタン１５１は、フレーミング枠調整可能画像撮影モードの選択／非選択を切り替えるためのボタンである。フレーミング枠調整可能画像撮影モードとは、ユーザによって撮像対象として設定可能な領域のうち最大の画像領域である最大ユーザ設定画像領域の外周にフレーミング枠調整用画像領域を設け、最大ユーザ設定画像領域とフレーミング枠調整用画像領域とを併せた拡張画像領域の画像を撮影するモードである。なお、最大ユーザ設定画像領域は、電子ズームが最小倍率のときのフレーミング枠が示す領域に相当する。詳しくは後述する。フレーミング枠調整可能画像撮影モードボタン１５１は、本発明の撮影モード指定部に相当する。
【００１９】
ユーザによって撮像対象として設定されるユーザ設定画像領域と、最大ユーザ設定画像領域は相似であり、ズームボタン１５３は、ユーザ設定画像領域の最大ユーザ設定画像領域に対する相似比（以下、領域倍率と呼ぶ）を調整するためのボタンである。この領域倍率は、いわゆる電子ズーム倍率（デジタルズーム倍率）の逆数に相当する。ズームボタン１５３は、広角ボタン１５３ａと望遠ボタン１５３ｂで構成されており、広角ボタン１５３ａまたは望遠ボタン１５３ｂが押下されている時間や回数に応じて領域倍率を変更する。ズームボタン１５３は、本発明の倍率調整部に相当する。
【００２０】
編集モードボタン１５２は、編集モードの選択／非選択を切り替えるためのボタンである。編集モードとは、ユーザ設定画像領域を示すフレーミング枠を編集するためのモードである。ズームボタン１５３は、編集モード時には、フレーミング枠の最大ユーザ設定画像領域に対する領域倍率を拡張画像領域内で変更する機能を実現する。詳しくは後述する。移動ボタン１５４は、フレーミング枠を拡張画像領域内で移動するためのボタンである。移動ボタン１５４は編集モード時に機能する。取消ボタン１５５は、編集モードにおけるフレーミング枠の変更操作を取り消すためのボタンである。表示部１５０は、デジタルカメラ１００のＣＣＤパネルが捉える画像や、撮影後の画像データに基づく画像を表示する。
【００２１】
図２（ａ）は、フレーミング枠調整可能画像撮影モード時の撮影について示す説明図である。デジタルカメラのＣＣＤパネル（撮像素子）は、フレーミング枠調整可能画像撮影モード時、画像ｉｍ＿ｅｘを捉える。この全体の画像ｉｍ＿ｅｘは、最大ユーザ設定画像領域の画像ｉｍ＿ｍａｘｕｓと、その外周に付加された斜線で示す所定幅のフレーミング枠調整用画像領域の画像ｉｍ＿ｆｒとで構成される。以下では、画像ｉｍ＿ｍａｘｕｓを「最大ユーザ設定画像」と呼び、その外周に付加された画像ｉｍ＿ｆｒを「フレーミング枠調整用画像」と呼び、全体の画像ｉｍ＿ｅｘを「拡張画像」と呼ぶ。また、最大ユーザ設定画像ｉｍ＿ｍａｘｕｓの画像領域を「最大ユーザ設定画像領域」と呼び、フレーミング枠調整用画像ｉｍ＿ｆｒの画像領域を「フレーミング枠調整用画像領域」と呼び、拡張画像ｉｍ＿ｅｘの画像領域を「拡張画像領域」と呼ぶ。
【００２２】
ユーザがフレーミング枠調整可能画像撮影モードボタン１５１を押下して、フレーミング枠調整可能画像撮影モードが選択されると、撮影部１１０は、ＣＣＤパネルが捉える拡張画像ｉｍ＿ｅｘを撮影し、拡張画像ｉｍ＿ｅｘの画像データ（以下、拡張画像データと呼ぶ）を取得する。
【００２３】
一方、図２（ｂ）は、フレーミング枠調整可能画像撮影モードが選択されていない場合の通常撮影モードの場合の撮影範囲を示す。通常撮影モードの場合、デジタルカメラは最大ユーザ設定画像ｉｍ＿ｍａｘｕｓを撮影する。カメラによっては、この例のように、フレーミング枠調整可能画像撮影モード時ではない場合にも、最大ユーザ設定画像ｉｍ＿ｍａｘｕｓの外周に、若干の領域を付加した領域の画像が取得される場合がある。しかし、この場合にも、通常撮影モードでは、フレーミング枠調整可能画像撮影モードと比較すると、ユーザ設定画像ｉｍ＿ｕｓの外周に付加される領域は狭いことが理解できる。
【００２４】
フレーミング枠調整可能画像撮影モードが選択されている場合、ユーザは、ズームボタン１５３の広角ボタン１５３ａまたは望遠ボタン１５３ｂを押下することにより、撮像対象として設定するユーザ設定画像領域の最大ユーザ設定画像領域に対する領域倍率を０より大きく１以下の範囲で指定することができる。
【００２５】
図３は、ユーザ設定画像領域の画像であるユーザ設定画像ｉｍ＿ｕｓを示す説明図である。表示部１５０は、ＣＣＤパネルが捉える拡張画像ｉｍ＿ｅｘから所定幅のフレーミング枠調整用画像ｉｍ＿ｆｒを除いた最大ユーザ設定画像ｉｍ＿ｍａｘｕｓと、ズームボタン１５３で指定された領域倍率に基づいて、ユーザ設定画像領域を決定する。このとき、表示部１５０は、図３（ａ）に示すように、ユーザ設定画像領域の画像であるユーザ設定画像ｉｍ＿ｕｓが、最大ユーザ設定画像ｉｍ＿ｍａｘｕｓの中心を中心とするようユーザ設定画像ｉｍ＿ｕｓを決定する。具体的には、最大ユーザ設定画像領域の中心Ｏから頂点までの距離Ｌに領域倍率を乗じ、中心Ｏからユーザ設定画像領域の頂点までの距離ｌを決定し、ユーザ設定画像領域を決定する。そして、表示部１５０はユーザ設定画像ｉｍ＿ｕｓを表示する。図３（ｂ），（ｃ）は、撮影時のデジタルカメラ１００の背面を示す。図３（ｂ）の表示部１５０は、領域倍率が１より小さい場合のユーザ設定画像ｉｍ＿ｕｓを表示しており、図３（ｃ）の表示部１５０は、領域倍率が１の場合のユーザ設定画像ｉｍ＿ｕｓ、即ち最大ユーザ設定画像ｉｍ＿ｍａｘｕｓを表示している。図３（ｂ），（ｃ）に示すように、表示部１５０は、ユーザ設定画像ｉｍ＿ｕｓの画像データを電子的に変倍処理することにより、表示部１５０全体にユーザ設定画像ｉｍ＿ｕｓを表示する。
【００２６】
フレーミング枠調整可能画像撮影モードにおいて、ユーザ設定画像領域はフレーミング枠として設定される。記録部１２０は、表示部１５０によって決定されたユーザ設定画像領域を示すフレーミング枠を表わすためのフレーミング情報を拡張画像データに付加した画像データファイルを、記憶部１３０に記録する。なお、ここでは、記録部１２０は、表示部１５０が決定したユーザ設定画像領域に基づいてフレーミング情報を付加するが、記録部１２０が表示部１５０と同様にユーザ設定画像領域を決定し、フレーミング情報を拡張画像データに付加するものとしても良い。
【００２７】
図４は、画像データファイルｉｄｆの様式を示す説明図である。画像データファイルｉｄｆはフレーミング情報ｆｒと拡張画像データｉｄ＿ｅｘを含む。フレーミング情報ｆｒは、図３（ａ）に示したユーザ設定画像ｉｍ＿ｕｓの左上の座標（ｘ１，ｙ１）と右下の座標（ｘ２，ｙ２）でユーザ設定画像領域を示すフレーミング枠を表わす。
【００２８】
画像のトリミング及び印刷は例えば以下のように行なわれる。ユーザが、デジタルカメラ１００をパーソナルコンピュータ２００に接続し、画像データファイルｉｄｆをパーソナルコンピュータ２００に送信するコマンドを指定した時、トリミング実行部１４０（図１）は、拡張画像データｉｄ＿ｅｘに対して、フレーミング情報ｆｒに基づいてトリミングを実行する。具体的には、フレーミング情報ｆｒで指定されているフレーミング枠内の画像データのみを残し、他の画像データを削除する。デジタルカメラ１００は、トリミング処理後の画像データ（以下、フレーミング画像データと呼ぶ）を、パーソナルコンピュータ２００に送信する。このフレーミング画像データは、ユーザ設定画像ｉｍ＿ｕｓを表わしている。
【００２９】
パーソナルコンピュータ２００において、ユーザが画像を印刷する用紙サイズを指定し、印刷を指示するコマンドを指定すると、パーソナルコンピュータ２００は、フレーミング画像データをプリンタ３００に送信する。プリンタ３００の入力部３１０は、フレーミング画像データと用紙サイズを入力する。変倍部３２０は、用紙サイズに応じてフレーミング画像データを電子的に処理することにより、フレーミング画像データに基づく画像（ユーザ設定画像ｉｍ＿ｕｓ）を変倍する。以下、この処理を電子変倍処理と呼ぶ。印刷部３３０は、電子変倍処理後のフレーミング画像データに基づいて印刷を実行し、ユーザ設定画像ｉｍ＿ｕｓを印刷する。
【００３０】
図５は、Ｌ版の用紙に印刷されたユーザ設定画像ｉｍ＿ｕｓを示す説明図である。図５（ｂ）は、領域倍率が１より小さい場合のユーザ設定画像ｉｍ＿ｕｓを印刷した場合の図であり、図５（ｃ）は、領域倍率が１の場合のユーザ設定画像ｉｍ＿ｕｓ、即ち最大ユーザ設定画像ｉｍ＿ｍａｘｕｓを印刷した場合の図である。図５（ｂ），（ｃ）により、領域倍率に応じて像倍率が異なる画像を得られることが分かる。なお、拡張画像データは、デジタルカメラ１００の記録画素数が十分大きい場合には、ユーザ設定画像ｉｍ＿ｕｓの表示や印刷に十分な解像度でユーザ設定画像ｉｍ＿ｕｓを表現できる画像データを取得することができる。
【００３１】
図６は、デジタルカメラ１００の編集モード時の編集操作について示す説明図である。ユーザは、編集モードを選択することにより、上記した印刷処理を実行する前に、フレーミング枠を編集し、ユーザ設定画像領域を変更することができる。ユーザがデジタルカメラ１００の編集モードボタン１５２を押下して、編集モードが選択されると、表示部１５０は、記憶部１３０の拡張画像データｉｄ＿ｅｘに基づいて、拡張画像ｉｍ＿ｅｘを表示する。表示部１５０は、更に、フレーミング枠ｆｆを一点鎖線で表示する。ユーザは、ズームボタン１５３を押下することにより、フレーミング枠ｆｆの最大ユーザ設定画像ｉｍ＿ｍａｘｕｓに対する領域倍率を拡張画像ｉｍ＿ｅｘで変更することが可能である。以下に説明するように、撮影後の編集モードでは、領域倍率を１より大きな値に設定することができる。
【００３２】
図７（ａ）は、フレーミング枠ｆｆの領域倍率を拡張画像ｉｍ＿ｅｘ内で変更する例を示す説明図である。ユーザが、ズームボタン１５３により領域倍率を１より大きくし、フレーミング枠ｆｆを一点鎖線で示すフレーミング枠ｆｆ１に拡大し、移動ボタン１５４の中央のＯＫボタンを押下すると、記録部１２０は、フレーミング情報ｆｒを、変更後のフレーミング枠ｆｆ１を示す座標に変更する。トリミング実行部１４０は、画像データファイルｉｄｆをパーソナルコンピュータ２００に送信する際、拡張画像データｉｄ＿ｅｘに対して、変更後のフレーミング情報ｆｒに基づいてトリミングを実行する。図７（ｂ）は、フレーミング枠ｆｆを拡大しないで、デフォルトで印刷した場合のユーザ設定画像ｉｍ＿ｕｓであり、図７（ｃ）は、フレーミング枠ｆｆを拡大した後、印刷したユーザ設定画像ｉｍ＿ｕｓ１である。また、図７（ｄ）は、最大ユーザ設定画像ｉｍ＿ｍａｘｕｓである。図７（ｃ）は、図７（ｄ）と比較しても像倍率が小さいことが分かる。すなわち、ズームボタン１５３で編集することにより、最大ユーザ設定画像ｉｍ＿ｍａｘｕｓより更に小さい像倍率の画像を得ることができる。ズームボタン１５３は、本発明のフレーミング枠調整部に相当する。
【００３３】
なお、ユーザは、ズームボタン１５３で編集することにより、領域倍率を小さくし、フレーミング枠ｆｆを図７（ａ）に示すフレーミング枠ｆｆ２に変更することも可能である。更にユーザは、図４の取消ボタン１５５を押下することにより、フレーミング枠ｆｆの変更を取り消すことができる。このとき、記録部１２０は、フレーミング情報ｆｒを、元の座標（ｘ１，ｙ１），（ｘ２，ｙ２）に変更する。また、ユーザは、移動ボタン１５４の矢印ボタンにより、フレーミング枠ｆｆを上下左右に移動させることも可能である。更に、フレーミング枠ｆｆの形状の変更も可能であるものとしても良い。
【００３４】
本実施例のデジタルカメラ１００によれば、フレーミング枠調整可能画像撮影モードにおいて、上記最小倍率画像データに相当する最大ユーザ設定画像領域の画像データより広範囲の拡張画像領域の画像データをメモリに記録するので、ユーザは、編集モード時に、ズームボタン１５３により拡張画像領域内でフレーミング枠ｆｆを調整し、最小倍率画像データより像倍率が更に小さい画像データを生成することも可能である。つまり、ユーザは、ユーザ設定画像ｉｍ＿ｕｓをより柔軟に変更することができる。更に、移動ボタン１５４により拡張画像ｉｍ＿ｅｘの範囲内でフレーミング枠ｆｆを移動することもでき、構図変更の自由度も高くすることができる。
【００３５】
また、フレーミング情報ｆｒに基づいて、拡張画像データｉｄ＿ｅｘに対してトリミングを実行するトリミング実行部１４０を備えるので、デジタルカメラ１００でトリミングを実行することができる。更に、表示部１５０は、フレーミング枠調整可能画像撮影モードが選択されているときに、デジタルカメラ１００の拡張画像ｉｍ＿ｅｘから所定幅のフレーミング枠調整用画像ｉｍ＿ｆｒを除いた最大ユーザ設定画像ｉｍ＿ｍａｘｕｓと、倍率調整部で調整された倍率に基づいて、ユーザ設定画像ｉｍ＿ｕｓを表示するフレーミング画像表示モードを有するので、ユーザは、撮影前および撮影後にユーザ設定画像ｉｍ＿ｕｓを確認することができる。
【００３６】
その他の実施例：
（１）上記実施例では、プリンタ３００の変倍部３２０で電子変倍処理を実行し、印刷していたが、変倍部３２０はプリンタ３００に限らず、パーソナルコンピュータ２００内のソフトウェア（ビューワ）に備え、ビューワで電子変倍処理を実行するものとしても良い。また、画像を印刷する用紙のサイズ（L版、Ａ４）を選択し、撮影することが可能なデジタルカメラ１００に変倍部を備え、デジタルカメラ１００で電子変倍処理を実行するものとしても良い。
【００３７】
（２）上記実施例では、印刷用紙サイズに応じて電子変倍処理を実行していたが、これに限らず、領域倍率に基づいてフレーミング画像データを変倍するものとしても良い。例えば、領域倍率が１／２であれば、画像を電子的に２倍にする変倍処理を実行するものとしても良い。この結果、画像の縦方向と横方向の画素数はそれぞれ２倍になる。このとき、補間処理を用いて画素値を補間することが好ましい。この場合、デジタルカメラ１００で変倍処理を実行するものとしても良いし、フレーミング画像データと領域倍率を併せて出力し、パーソナルコンピュータ２００あるいはプリンタ３００で変倍処理を実行するものとしても良い。
【００３８】
（３）上記実施例では、撮影時におけるフレーミング枠調整用画像領域の幅は固定値であったが、可変であるものとしても良い。例えば、画像を印刷する用紙のサイズ（L版、Ａ４）を選択し、撮影するデジタルカメラ１００において、選択された用紙サイズに応じてフレーミング枠調整用画像領域の幅を変更するものとしても良い。
【００３９】
（４）上記実施例では、フレーミング枠調整可能画像撮影モードボタン１５１や編集モードボタン１５２を備え、ボタンのＯＮ／ＯＦＦでフレーミング枠調整可能画像撮影モードや編集モードにするか否か選択可能としていたが、フレーミング枠調整可能画像撮影モードや編集モードの選択方法はこれに限らず、例えば、設定画面を表示し、設定画面の中でＯＮ／ＯＦＦの切り替えをするものとしても良い。なお、撮影時にフレーミング枠調整可能画像撮影モードボタン１５１と編集モードボタン１５２の両方を押すことによって、撮影前（画像データファイルの作成前）に拡張画像を確認できるようにデジタルカメラ１００を構成しても良い。
【００４０】
（５）上記実施例では、フレーミング情報ｆｒは、ユーザ設定画像領域の左上の座標と右下の座標であるものとしたが、これに限らず、フレーミング情報ｆｒは、ユーザ設定画像領域を示す情報であれば良い。例えば、フレーミング情報ｆｒは、トリミングして拡張画像ｉｍ＿ｅｘから削除される領域を示す情報であっても良い。また、上記実施例では、フレーミング枠調整可能画像撮影モード時にフレーミング情報ｆｒを付加するものとしたが、通常撮影モード時においてもフレーミング情報ｆｒを付加するものとしても良い。ただし、通常撮影モードでは像倍率を最大ユーザ設定画像ｉｍ＿ｍａｘｕｓより小さくすることはできないようにすることが好ましい。
【００４１】
（６）上記実施例では、デジタルカメラ１００にトリミング実行部１４０を備え、トリミング画像データｉｄｆをパーソナルコンピュータ２００に送信するものとしたが、これに限らず、パーソナルコンピュータ２００またはプリンタ３００がトリミング実行部を備え、パーソナルコンピュータ２００またはプリンタ３００が画像データファイルｉｄｆを入力して、トリミングを実行するものとしても良い。フレーミング枠ｆｆの変更も、パーソナルコンピュータ２００やプリンタ３００で実行するものとしても良い。
【００４２】
（７）上記実施例では、デジタルカメラ１００のフレーミング画像データを、パーソナルコンピュータ２００を介してプリンタ３００に送信していたが、デジタルカメラ１００から直接プリンタ３００に送信するものとしても良い。デジタルカメラ１００とプリンタ３００を直接接続し、データの送受信を実行するための規格が存在し、その中には、デジタルカメラ１００からプリンタ３００へ画像データを送信する際、トリミングの指定をすることが可能であるものもある。デジタルカメラ１００は、トリミングの指定としてフレーミング情報ｆｒを送信し、プリンタ３００が拡張画像データｉｄ＿ｅｘとフレーミング情報ｆｒを入力して、トリミングを実行するものとしても良い。
【００４３】
（８）上記実施例では、ユーザ設定画像ｉｍ＿ｕｓをプリンタ３００で印刷しているが、印刷する必要はなく、表示部１５０やパーソナルコンピュータ２００のモニタで領域倍率に基づいて電子的に変倍処理したユーザ設定画像ｉｍ＿ｕｓを表示するのみであっても良い。
【００４４】
以上、実施例に基づき本発明に係るデジタルカメラと、フレーミング枠調整方法を説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００４５】
【図１】実施例としてのデジタルカメラ１００を含む画像処理システムを示す説明図。
【図２】フレーミング枠調整可能画像撮影モード時の撮影について示す説明図。
【図３】ユーザ設定画像領域の画像であるユーザ設定画像ｉｍ＿ｕｓを示す説明図。
【図４】画像データファイルｉｄｆの様式を示す説明図。
【図５】Ｌ版の用紙に印刷されたユーザ設定画像ｉｍ＿ｕｓを示す説明図。
【図６】編集モード時のデジタルカメラ１００を示す説明図。
【図７】フレーミング枠ｆｆの領域倍率を拡張画像ｉｍ＿ｅｘ内で変更する例を示す説明図。
【符号の説明】
【００４６】
１００...デジタルカメラ
１１０...撮影部
１２０...記録部
１３０...記憶部
１４０...トリミング実行部
１５０...表示部
１５１...フレーミング枠調整可能画像撮影モードボタン
１５２...編集モードボタン
１５３...ズームボタン
１５３ａ...広角ボタン
１５３ｂ...望遠ボタン
１５４...移動ボタン
１５５...取消ボタン
２００...パーソナルコンピュータ
３００...プリンタ
３１０...入力部
３２０...変倍部
３３０...印刷部
ｉｄ＿ｅｘ...拡張画像データ
ｉｄｆ...画像データファイル
ｉｍ＿ｕｓ...ユーザ設定画像
ｉｍ＿ｍａｘｕｓ...最大ユーザ設定画像
ｉｍ＿ｅｘ...拡張画像
ｉｍ＿ｆｒ...フレーミング枠調整用画像
ｆｒ...フレーミング情報
ｆｆ，ｆｆ１，ｆｆ２...フレーミング枠
【図１】
2006287365.tif 000003
【図２】
2006287365.tif 000004
【図３】
2006287365.tif 000005
【図４】
2006287365.tif 000006
【図５】
2006287365.tif 000007
【図６】
2006287365.tif 000008
【図７】
2006287365.tif 000009